(57)【要約】【課題】表示パネルをはがしても充電端子の露出がなく、かつ表示板に帯電した静電気の影響を液晶表示器に及ばないようにした機器の表示装置を提供することを目的とする。【解決手段】表示板２５の液晶表示器２２部分を透明窓２５ａとし、かつ液晶表示器２２に対して中央が離れる側に湾曲させ表示板２５の透明窓２５ａと液晶表示器２２との間に空間３３を設けたものである。これによって、表示パネル３１をはがしても充電端子２２ａの露出がなく、かつ表示板２５に帯電した静電気の影響を液晶表示器２２に及ばないようにすることができる。【選択図】図１
2007136017.tif 000002
【特許請求の範囲】
【請求項１】
液晶表示器を搭載した回路基板と、前記液晶表示器を支持する支持枠と、前記液晶表示器部分を透明窓としその周りに液晶表示器の表示を補完する印刷を施した表示板と、内側に前記回路基板を取り付ける外枠と、外枠の表面に取り付け表示板を覆う表示パネルとを備え、前記表示板を前記液晶表示器に対して中央が離れる側に湾曲させ、前記透明窓と液晶表示器との間に空間を設けた機器の表示装置。
【請求項２】
表示板の外寸を液晶表示器の外周を囲む支持枠の側壁の内寸よりも大きくし、表示板の端面と支持枠の側壁を当接させて表示板を湾曲させた請求項１に記載の機器の表示装置。
【請求項３】
表示板の端を延長して係合部を設け、支持枠の側壁に前記係合部を保持する保持孔を設け、前記保持孔を液晶表示器の表面よりも下方に位置させた請求項１に記載の機器の表示装置。
【請求項４】
係合部を保持孔から突出させるとともに、外枠から支持枠に向けてリブを設け、保持孔から突出した係合部を前記リブで回路基板側に付勢した請求項３に記載の機器の表示装置。
【請求項５】
支持枠の内側壁に中央が凸状の湾曲した内側段部を設け、この内側段部に沿わせて表示板を湾曲配置した請求項１に記載の機器の表示装置。
【発明の詳細な説明】
【技術分野】
【０００１】
本発明は、電気湯沸かし器などの機器においてその動作状態を表示する表示装置に関するものである。
【背景技術】
【０００２】
従来、電気湯沸かし器の表示装置としては、液晶表示器を使用している（例えば、特許文献１参照）。
【０００３】
その構成は、図８、図９に示すように、外枠１に液晶表示器２用の表示窓３が設けられ、表示窓３の内側には液晶表示器２を備えた回路基板４が取り付けられている。液晶表示器２の端面には充電端子２ａが備わり、加えられる電圧の変化により電気湯沸かし器の状態や設定状態を表示する。液晶表示器２の上には薄い樹脂フィルムなどで形成された表示板５が載せられ、表示板５は液晶表示器２の表示部分を抜き窓５ａとしその周りに液晶表示器２の表示内容を補完する印刷５ｂが施されている。表示板５の端は延長されて係合部６を形成し、係合部６は表示板５が脱落しないように液晶表示器２を囲む支持枠７に設けた保持孔８と係合させてある。回路基板４はホルダー９で保持され、ホルダー９は外枠１にネジ（図示せず）で固定されている。また、外枠１の表面には表示窓３部分を透明にした表示パネル１０が貼り付けられている。
【特許文献１】特開２００１―２９２９０６号公報
【発明の開示】
【発明が解決しようとする課題】
【０００４】
しかしながら、前記従来の構成では、表示パネル１０をはがして表示板５を持ち上げると、充電端子２ａが抜き窓５ａから露出するという課題を有していた。また、充電端子２ａが露出しないように抜き窓５ａを透明窓にすると、表示板５が平板状であるため表示板５の中央部がたわんで液晶表示器２に接触しやすく、表示板５が静電気を帯びていた場合には干渉模様が発生するという課題も有していた。
【０００５】
本発明は、前記従来の課題を解決するもので、表示パネルをはがしても充電端子の露出がなく、かつ表示板に帯電した静電気の影響を液晶表示器に及ばないようにした機器の表示装置を提供することを目的とする。
【課題を解決するための手段】
【０００６】
前記従来の課題を解決するために、本発明の機器の表示装置は、表示板の液晶表示器部分を透明窓とし、かつ液晶表示器に対して中央が離れる側に湾曲させ表示板の透明窓と液晶表示器との間に空間を設けたものである。
【０００７】
これによって、表示パネルをはがしても充電端子の露出がなく、かつ表示板に帯電した静電気の影響を液晶表示器に及ばないようにすることができる。
【発明の効果】
【０００８】
本発明の機器の表示装置は、表示パネルをはがしても充電端子の露出がなく、しかも表示板に帯電した静電気の影響を液晶表示器に及ばないようにすることができる。
【発明を実施するための最良の形態】
【０００９】
第１の発明は、液晶表示器を搭載した回路基板と、前記液晶表示器を支持する支持枠と、前記液晶表示器部分を透明窓としその周りに液晶表示器の表示を補完する印刷を施した表示板と、内側に前記回路基板を取り付ける外枠と、外枠の表面に取り付け表示板を覆う表示パネルとを備え、前記表示板を前記液晶表示器に対して中央が離れる側に湾曲させ、前記透明窓と液晶表示器との間に空間を設けた機器の表示装置とすることにより、表示パネルをはがしても充電端子の露出がなく、かつ表示板に帯電した静電気の影響を液晶表示器に及ばないようにすることができる。
【００１０】
第２の発明は、特に、第１の発明において、表示板の外寸を液晶表示器の外周を囲む支持枠の側壁の内寸よりも大きくし、表示板の端面と支持枠の側壁を当接させて表示板を湾曲させたことにより、表示板に湾曲加工をすることなく表示板を支持枠に組み込むだけで湾曲させることができ安価に作ることができる。
【００１１】
第３の発明は、特に、第２の発明において、表示板の端を延長して係合部を設け、支持枠の側壁に前記係合部を保持する保持孔を設け、前記保持孔を液晶表示器の表面よりも下方に位置させたことにより、係合部が回路基板側に付勢され表示板の中央側が確実に液晶表示器から離れるように湾曲させることができる。
【００１２】
第４の発明は、特に、第３の発明において、係合部を保持孔から突出させるとともに、外枠から支持枠に向けてリブを設け、保持孔から突出した係合部を前記リブで回路基板側に付勢したことにより、係合部を回路基板側に付勢することで表示板の湾曲が戻ろうとすることを抑え、湾曲が低くなるのを防ぐことができる。
【００１３】
第５の発明は、特に、第１の発明において、支持枠の内側壁に中央が凸状の湾曲した内側段部を設け、この内側段部に沿わせて表示板を湾曲配置したことにより、表示板が内側段部に沿って湾曲しているため、液晶表示器と表示板との空間を設定通りにでき、干渉模様の発生を抑えるとともに、見栄えの良い表示装置を安定して提供することができる。
【００１４】
以下、本発明の実施の形態について、図面を参照しながら説明する。なお、この実施の形態によって本発明が限定されるものではない。
【００１５】
（実施の形態１）
図１〜図３は、本発明の実施の形態１における機器の表示装置を示している。
【００１６】
図に示すように、外枠２１に液晶表示器２２用の表示窓２３が設けられ、表示窓２３の内側には液晶表示器２２を搭載した回路基板２４が取り付けられている。液晶表示器２２の端面には充電端子２２ａが備わり、加えられる電圧の変化により機器の状態や設定状態を表示する。液晶表示器２２の上には薄い樹脂フィルムなどで形成された表示板２５が載せられ、表示板２５は液晶表示器２２部分を透明窓２５ａとしその周りに液晶表示器２２の表示内容を補完する印刷２５ｂが施されている。
【００１７】
表示板２５は液晶表示器２２に対して中央が離れる側に湾曲させてある。すなわち、液晶表示器２２の端面の充電端子２２ａとは反対側の中央が高くなるように湾曲させ、透明窓２５ａと液晶表示器２２との間に空間３３を設けている。また、充電端子２２ａはその配置構成上、液晶表示器２２と透明窓２５ａの空間３３から見えにくいようにしてある。また、表示板２５の端は延長されて係合部２６を形成し、この係合部２６は、液晶表示器２２を支持する支持枠２７の液晶表示器２２を囲む側壁２７ａに設けた保持孔２８と係合させ、表示板２５が脱落しないようにしている。
【００１８】
回路基板２４はホルダー２９で保持され、ホルダー２９は外枠２１の内側にネジ３０で固定されている。また、外枠２１の表面には表示窓２３部分を透明にした表示パネル３１が貼り付けなどにより取り付けられている。
【００１９】
以上のように形成された機器の表示装置について、以下その動作、作用を説明する。
【００２０】
まず、表示板２５の液晶表示器２２部分を透明窓２５ａとしているため（抜き窓ではない）、表示パネル３１をはがして透明窓２５ａを持ち上げようとしても充電端子２２ａが露出することはない。また、表示板２５は充電端子２２ａと反対側の中央が高くなるように湾曲させてあるため、透明窓２５ａと液晶表示器２２の間に空間３３ができ、表示板２５に帯電した静電気の影響を液晶表示器２２に及ばないようにすることができ、干渉模様の発生を抑えることができる。
【００２１】
このように、本実施の形態においては、表示板の液晶表示器部分を透明窓とし、かつ液晶表示器に対して中央が離れる側に湾曲させ表示板の透明窓と液晶表示器との間に空間を設けたことにより、表示パネルをはがしても充電端子の露出がなく、かつ表示板に帯電した静電気の影響を液晶表示器に及ばないようにすることができる。
【００２２】
なお、本実施の形態においては、電気湯沸かし器の表示装置を代表例として示しているが、電気湯沸かし器に限らず液晶表示器と表示板を備えた機器全般に適用できるものである。
【００２３】
（実施の形態２）
図４は、本発明の実施の形態２における機器の表示装置を示している。実施の形態１と同一要素については同一符号を付してその説明を省略する。
【００２４】
本実施の形態における機器の表示装置は、表示板２５の外寸ａを支持枠２７の側壁２７ａの内寸ｂよりも大きくし、表示板２５の係合部２６を支持枠２７の側壁２７ａの保持孔２８と係合させて表示板２５を支持枠２７に組み込むと、表示板２５の外寸ａが大きいため、表示板２５の端面と支持枠２７の側壁２７ａが当接することで表示板２５を湾曲させたものである。表示板２５に湾曲加工を施すことなく表示板２５を支持枠２７に組み込むだけで湾曲させることができ、加工工程を省略でき安価に作ることができる。
【００２５】
このように、本実施の形態においては、表示板の外寸を支持枠の側壁の内寸よりも大きくし、表示板の端面と支持枠の側壁を当接させて表示板を湾曲させたことにより、表示板に湾曲加工をすることなく表示板を支持枠に組み込むだけで湾曲させることができ安価に作ることができる。
【００２６】
（実施の形態３）
図５は、本発明の実施の形態３における機器の表示装置を示している。実施の形態１と同一要素については同一符号を付してその説明を省略する。
【００２７】
本実施の形態における機器の表示装置は、表示板２５の端を延長して係合部２６を設け、支持枠２７の側壁２７ａに前記係合部２６を保持する保持孔２８を設け、この保持孔２８を液晶表示器２２の表面よりも下方に位置させている。
【００２８】
これにより、表示板２５の係合部２６を支持枠２７の側壁２７ａの保持孔２８と係合させて表示板２５を支持枠２７に組み込むと、表示板２５が液晶表示器２２の端と保持孔２８に当たり、係合部２６が回路基板２４側に付勢され表示板２５の中央側が確実に液晶表示器２２から離れるように湾曲させることができる。
【００２９】
このように、本実施の形態においては、表示板の係合部を保持する保持孔が液晶表示器の表面よりも下方に位置させることにより、係合部が回路基板側に付勢され表示板の中央側が確実に液晶表示器から離れるように湾曲させることができる。
【００３０】
（実施の形態４）
図６は、本発明の実施の形態４における機器の表示装置を示している。実施の形態１と同一要素については同一符号を付してその説明を省略する。
【００３１】
本実施の形態における機器の表示装置は、表示板２５の係合部２６を、支持枠２７の側壁２７ａの保持孔２８から突出させるとともに、外枠２１から支持枠２７に向けてリブ３２を設け、保持孔２８から突出した係合部２６をリブ３２で回路基板２４側に付勢したものである。
【００３２】
これにより、外枠２１を組み込むことで係合部２６はリブ３２により回路基板２４側に常に付勢され、表示板２５の湾曲が戻ろうとするのを抑え、湾曲が低くなるのを防ぐことができる。
【００３３】
このように、本実施の形態においては、外枠のリブで表示板の係合部を回路基板側に付勢することにより、表示板の湾曲を保持することができる。
【００３４】
（実施の形態５）
図７は、本発明の実施の形態５における機器の表示装置を示している。実施の形態１と同一要素については同一符号を付してその説明を省略する。
【００３５】
本実施の形態における機器の表示装置は、支持枠２７の側壁２７ａの内側壁に中央が凸状の湾曲した内側段部２７ｂを設け、この内側段部２７ｂに沿わせて表示板２５を湾曲配置し、表示板２５の係合部２６を支持枠２７の側壁２７ａの保持孔２８と係合させて表示板２５を支持枠２７に組み込むものである。
【００３６】
これにより、表示板２５を支持枠２７に組み込めば、表示板２５が内側段部２７ｂに添って湾曲するため液晶表示器２２と表示板２５との空間３３を設定通りにできるものである。
【００３７】
このように、本実施の形態においては、表示板を支持枠の側壁の中央が凸状の湾曲した内側段部に沿わせて湾曲配置することにより、液晶表示器と表示板との空間を設定通りにでき、干渉模様の発生を抑えるとともに、見栄えの良い表示装置を安定して提供することができる。
【産業上の利用可能性】
【００３８】
以上のように、本発明にかかる機器の表示装置は、表示パネルをはがしても充電端子の露出がなく、しかも表示板に帯電した静電気の影響を液晶表示器に及ばないようにすることができるので、電気湯沸かし器に限らず液晶表示器と表示板を備えた機器全般に適用できる。
【図面の簡単な説明】
【００３９】
【図１】本発明の実施の形態１における機器の表示装置の断面図
【図２】同機器の表示装置の平面図
【図３】同機器の表示装置の分解斜視図
【図４】本発明の実施の形態２における機器の表示装置の表示板と支持枠の平面図
【図５】本発明の実施の形態３における機器の表示装置の断面図
【図６】本発明の実施の形態４における機器の表示装置の断面図
【図７】（ａ）本発明の実施の形態５における機器の表示装置を示す（ｂ）のＡ−Ａ断面図（ｂ）（ａ）のＢ−Ｂ断面図
【図８】従来の機器の表示装置の断面図
【図９】同機器の表示装置の平面図
【符号の説明】
【００４０】
２１  外枠
２２  液晶表示器
２３  表示窓
２４  回路基板
２５  表示板
２５ａ  透明窓
２５ｂ  印刷
２６  係合部
２７  支持枠
２７ａ  側壁
２７ｂ  内側段部
２８  保持孔
３１  表示パネル
３２  リブ
３３  空間
【図１】
2007136017.tif 000003
【図２】
2007136017.tif 000004
【図３】
2007136017.tif 000005
【図４】
2007136017.tif 000006
【図５】
2007136017.tif 000007
【図６】
2007136017.tif 000008
【図７】
2007136017.tif 000009
【図８】
2007136017.tif 000010
【図９】
2007136017.tif 000011